(57)【要約】【課題】タンク取付構造を簡素化及び小形・軽量化する。【解決手段】上部旋回体のアッパーフレーム底板１６における前方左側にタンク取付部２５を設け、ここに燃料タンク３１を左側方から出し入れ可能に取付ける。その取付手段として、アッパーフレームの左側メインフレーム１７の前後両側と、キャノピ支柱台３５に凸部３２，３３，３４を設け、前後両側の凸部３２，３３を燃料タンク３１側の凹部３６，３７に、左側の凸部３４をタンク側の膨出部３８にそれぞれ係合させ、この状態でバッテリ取付用ブラケット４０によってタンク３１を抜け止めする構成とした。【選択図】        図１
2004276846.tif 000002
【特許請求の範囲】
【請求項１】
機械本体に、燃料タンクが出し入れ可能な状態で設置されるタンク取付部が設けられ、機械本体側及び燃料タンク側の双方に、同タンクが上記タンク取付部にセットされた状態で相係合する係合部が部分的に設けられ、この係合部により、燃料タンクの上下方向の移動、及び水平方向のうち少なくともタンク取り出し方向以外の各方向の移動を規制するように構成され、かつ、同タンクの取り出し方向の移動を阻止するタンク抜け止め手段を備えたことを特徴とする作業機械の燃料タンク取付装置。
【請求項２】
請求項１記載の作業機械の燃料タンクの取付装置において、係合部は、燃料タンクが機械本体外部からタンク取付部に水平一方向に挿入された状態で自動的に相係合する状態で設けられたことを特徴とする作業機械の燃料タンク取付装置。
【請求項３】
機械本体が下部走行体と上部旋回体とによって構成されるとともに、上記上部旋回体の基板であるアッパーフレームの底板上に前後方向に延びる縦壁としてのメインフレームが設けられ、このメインフレームに機械本体側の係合部が設けられたことを特徴とする請求項１または２記載の作業機械の燃料タンク取付装置。
【請求項４】
請求項１乃至３のいずれか１項に記載の作業機械の燃料タンク取付装置において、機械本体が下部走行体と上部旋回体とによって構成されるとともに、上記上部旋回体の基板であるアッパーフレームの底板上に、バッテリを取付けるためのブラケットが燃料タンクに隣接して着脱自在に設けられ、このブラケットに、タンクの取り出しを阻止する方向に接するタンク抜け止め手段としてのタンク受け部が設けられたことを特徴とする作業機械の燃料タンク取付装置。
【請求項５】
ブラケットに、燃料タンクの取り出し方向以外の水平方向の動きを止めるタンク支持部が設けられたことを特徴とする請求項４記載の作業機械の燃料タンク取付装置。
【請求項６】
ブラケットに、燃料タンクを上から押え込むタンク押えが設けられたことを特徴とする請求項４または５記載の作業機械の燃料タンク取付装置。
【発明の詳細な説明】
【０００１】
【発明の属する技術分野】
本発明は油圧ショベル等の作業機械における燃料タンク取付装置に関するものである。
【０００２】
【従来の技術】
油圧ショベルを例にとって従来の技術とその問題点を説明する。
【０００３】
図８はミニショベルと称される小形の油圧ショベルを示している。この油圧ショベルは、クローラ式の下部走行体１上に上部旋回体２が縦軸まわりに旋回自在に搭載され、この上部旋回体２に、ブーム３、アーム４、バケット５及びこれらを駆動するブーム、アーム、バケット各シリンダ６，７，８から成る作業装置Ａが装着されて構成される。
【０００４】
上部旋回体２は、その基板であるアッパーフレーム９にエンジン１０をはじめ各種機器及びこれらを覆うカバー類（外装体）、運転席１１、キャノピ１２等を取付けて構成される。１３はキャノピ１２を支持するキャノピ前側支柱、１４は同じく左側支柱、１５は同じく右側支柱である。
【０００５】
アッパーフレーム９における機器配置を図９に示す。
【０００６】
同図において、１６はアッパーフレーム９の底板で、この底板１６上において、左右両側（運転席１１に着座した状態で見たときの左右両側。以下にいう左右及び前後の方向性について同じ）に前後方向に延びる縦壁としてのメインフレーム（縦リブと称される場合もある）１７，１８と、このメインフレーム１７，１８を横切る状態で左右方向に延びる仕切壁１９とが設けられ、この仕切壁１９によって仕切られたアッパーフレーム後部（エンジンルーム）にエンジン１０、ファン２０、ラジエータ２１、オイルクーラー２２等の駆動ユニットが設置される。
【０００７】
一方、仕切壁１９の前方右側に作動油タンク２３及びバッテリ２４が設けられている。
【０００８】
また、前方左側には、左側メインフレーム１７と仕切壁１５によってタンク取付部２５が区画形成され、エンジン１０に供給される燃料を貯蔵する燃料タンク２６がこのタンク取付部２５に設置される。
【０００９】
この燃料タンク２６は、定期的に清掃する必要があるため、タンク取付部２５に対して左側方から水平に出し入れ可能な状態で取付けられる。
【００１０】
従来、この燃料タンク２６は、図示のようにブラケット２７と、このブラケット２７にボルト止めされる締付けバンド２８とによってタンク取付部２５に取付けられている（たとえば特許文献１参照）。
【００１１】
【特許文献１】
特開２００１−９０１１２号公報
【００１２】
【発明が解決しようとする課題】
ところが、このようにブラケット２７でタンク２６のほぼ半周部分を囲った上で締付けバンド２８で固定する公知のタンク取付構造によると、ブラケット２７及び締付けバンド２８という二つの大形部品、それにバンド固定用のボルト等が必要となるため、部品点数が多くてコスト高となる。
【００１３】
しかも、ブラケット２８として締付けバンド２８の締付け力を支え得るだけの高強度のものが必要となるため、ブラケット２８を含む取付構造全体として益々コスト高となるとともに、大形、大重量となり、この点でとくに図示のような小形ショベルにとって不利となっていた。
【００１４】
そこで本発明は、構造を簡素化及び小形化することができる作業機械の燃料タンク取付装置を提供するものである。
【００１５】
【課題を解決するための手段】
請求項１の発明は、機械本体に、燃料タンクが出し入れ可能な状態で設置されるタンク取付部が設けられ、機械本体側及び燃料タンク側の双方に、同タンクが上記タンク取付部にセットされた状態で相係合する係合部が部分的に設けられ、この係合部により、燃料タンクの上下方向の移動、及び水平方向のうち少なくともタンク取り出し方向以外の各方向の移動を規制するように構成され、かつ、同タンクの取り出し方向の移動を阻止するタンク抜け止め手段を備えたものである。
【００１６】
請求項２の発明は、請求項１の構成において、係合部は、燃料タンクが機械本体外部からタンク取付部に水平一方向に挿入された状態で自動的に相係合する状態で設けられたものである。
【００１７】
請求項３の発明は、請求項１または２の構成において、機械本体が下部走行体と上部旋回体とによって構成されるとともに、上記上部旋回体の基板であるアッパーフレームの底板上に前後方向に延びる縦壁としてのメインフレームが設けられ、このメインフレームに機械本体側の係合部が設けられたものである。
【００１８】
請求項４の発明は、請求項１乃至３のいずれかの構成において、機械本体が下部走行体と上部旋回体とによって構成されるとともに、上記上部旋回体の基板であるアッパーフレームの底板上に、バッテリを取付けるためのブラケットが燃料タンクに隣接して着脱自在に設けられ、このブラケットに、タンクの取り出しを阻止する方向に接するタンク抜け止め手段としてのタンク受け部が設けられたものである。
【００１９】
請求項５の発明は、請求項４の構成において、ブラケットに、燃料タンクの取り出し方向以外の水平方向の動きを止めるタンク支持部が設けられたものである。
【００２０】
請求項６の発明は、請求項４または５の構成において、ブラケットに、燃料タンクを上から押え込むタンク押えが設けられたものである。
【００２１】
上記構成によると、燃料タンクをタンク取付部にセットした状態で係合部同士が係合し、この係合作用により、燃料タンクの上下方向、及び水平方向のうち少なくともタンク取り出し方向以外の各方向の動きが規制され、その上でタンクが抜け止め手段によってタンク取付部に止め付けられる。
【００２２】
従って、取付構造としては、燃料タンク及びタンク取付部に部分的に係合部を設け、これに抜け止め手段を付加するだけでよいため、
（ｉ）公知技術のような大形・大重量のブラケットが不要となること、
（ｉｉ）抜け止め手段は、文字通りタンクの抜けを止めるだけの簡易なものでよく、高強度も必要とされないこと
により、タンク取付構造全体を簡素化及び小形化し、コストダウンを実現することができる。
【００２３】
また、面倒な締付けバンドの脱着操作が不要となるため、タンクの取付けが簡単となる。
【００２４】
ここで、請求項３ではアッパーフレームのメインフレームを燃料タンクの挿入方向のストッパとして兼用でき、請求項４〜６ではバッテリ取付用のブラケットを抜け止め手段として兼用できるため、一層、構造を簡素化及び小形・軽量化し、コストダウンすることができる。
【００２５】
また、請求項２の構成によると、燃料タンクをタンク取付部に水平一方向に挿入するだけで係合部同士が係合するため、ことさら特別なタンク操作が不要となり、取付けが一層簡単となる。
【００２６】
さらに請求項５の構成によると、ブラケットのタンク支持部で燃料タンクの取り出し方向以外の水平方向の動きを止め、請求項６の構成によると、ブラケットのタンク押えでタンクの上下方向の動きを止めることができるため、簡易な構造でありながらタンクの取付安定性を高めることができる。
【００２７】
【発明の実施の形態】
本発明の実施形態を図１〜図７によって説明する。
【００２８】
以下の実施形態において、図８，９に示す部分と同一部分には同一符号を付して示し、その重複説明を省略する。
【００２９】
基本実施形態（図１〜図５参照）
図１に示すように、アッパーフレーム９における前部左側にタンク取付部２５が設けられ、燃料タンク３１（以下、単にタンクという）がこのタンク取付部２５に対し図中二重線矢印で示すように左側方（図の下側）から挿入され、清掃時に左側方に取り出される。
【００３０】
タンク３１は、この実施形態ではプラスチック（金属製としてもよい）にて図示のように後部が左側に曲がったＬ字形に形成されている。
【００３１】
各図に示すように、タンク取付部２５を区画形成する左側メインフレーム１７には、タンク取付状態でタンク３１に臨む面の前後両側に機械本体側の係合部としての前側及び後側凸部３２，３３が設けられている。
【００３２】
また、タンク取付部２５の後方左側には、図８に示すキャノピ左側支柱１４が取付けられるキャノピ支柱台３５が設けられ、このキャノピ支柱台３５の前面に機械本体側の係合部としての左側凸部３４が設けられている。
【００３３】
これら各凸部３２，３３，３４は、図２，３，５に示すようにアングル材を左側メインフレーム１７、キャノピ支柱台３５に溶接等で固着することによって形成されている。
【００３４】
一方、タンク３１には、タンク取付部２５にタンク３１をセットした状態で前側及び後側両凸部３２，３３に対応する部分（右側壁の前後両側）にタンク側係合部としての前側及び後側凹部３６，３７が設けられている。
【００３５】
また、タンク３１の背面左側に、外向きに突出する係合部としての膨出部３８が設けられ、図３に示すようにタンクセット状態で左側凸部３４がこの膨出部３８の上面側に係合するように構成されている。
【００３６】
ここで、前側凹部３６は右側方と前方に開口し、後側凹部３７は右側方と後方に開口する状態で設けられ、膨出部３８は上記のように左側凸部３４よりも下方に位置する状態で設けられている。
【００３７】
従って、タンク３１をタンク取付部２５に左側方から水平に挿入するだけで、タンク側の凹部３６，３７及び膨出部３８と、機械本体側の凸部３２，３３，３４が自動的に係合する。図５はそのうち後側凸部３３と後側凹部３７の係合状態を示す。
【００３８】
この三個所の係合作用により、タンク３１の前方、後方、右側方、すなわちタンク取り出し方向以外の各水平方向の動きが止められる。
【００３９】
また、各係合部分において、凸部３２，３３，３４が凹部３６，３７及び膨出部３８にこれを上から押え込む状態で係合するため（図５参照）、これによってタンク３１の上下方向の動きが止められる。
【００４０】
従って、この状態でタンク３１の左側方への抜き出しを阻止することにより、タンク３１の取付けが完了する。
【００４１】
このタンク抜け止め手段を次に説明する。
【００４２】
この実施形態では、タンク取付部２５におけるタンク３１の左側にバッテリ３９が隣接して配置され、このバッテリ３９を取付けるためのブラケット４０をタンク抜け止め手段として兼用するように構成されている。
【００４３】
ブラケット４０は、図２等に示すようにバッテリ３９の右側面に接するタンク受け部兼用の側面板４１と、同背面に接する背面板４２とを有し、止め付け部４３，４３によってタンク取付部２５上にねじ止めされる。そして、バッテリ３９は、右側面が側面板４１で、背面が背面板４２でそれぞれ拘束された状態でこのブラケット４０に周知のように枠材または棒材とボルト、ナット（いずれも図示しない）によって止め付けられる。
【００４４】
この状態で、図３，４に示すようにブラケット４０の側面板４１及び背面板４２がそれぞれタンク３１に接し、側面板４１によってタンク３１の左側方への移動（抜き出し）が阻止され、背面板４２によってタンク３１の前方への移動が阻止される。
【００４５】
さらに、ブラケット４０には、前端に垂直なタンク支持部４４、上部に水平なタンク押え４５がそれぞれ設けられ、タンク支持部４４によってタンク３１の前方移動が阻止されるとともに、タンク押え４５によってタンク３１が上から押え込まれる。
【００４６】
この結果、タンク３１がタンク取付部２５に、上下方向、及び取り出し方向を含めた全水平方向の動きを数重に止められた状態で安定良く取付けられる。
【００４７】
しかも、タンク３１の清掃時には、バッテリ３９及びブラケット４０をタンク取付部２５から取外せばタンク３１が取り出し方向にフリーとなるため、簡単に取外すことができる。
【００４８】
また、この構成によると、
（イ）取付構造としては、機械本体側（左側メインフレーム１７及びキャノピ支柱台３５）に凸部３２〜３４、タンク３１側に凹部３６，３７及び膨出部３８をそれぞれ部分的に設けるだけでよい。
【００４９】
（ロ）バッテリ取付用のブラケット４０をタンク抜け止め手段として兼用し、左側メインフレーム１７をタンク挿入方向のストッパとして兼用することができる。
【００５０】
これらの点により、公知技術のような大形・大重量の専用ブラケットが不要となるため、取付構造全体を格段に簡素化及び小形・軽量化し、コストダウンを実現することができる。また、面倒な締付けバンドの脱着操作が不要となるため、タンク３１の取付け、取り出しが簡単となる。
【００５１】
他の実施形態
（１）上記基本実施形態とは逆に、タンク側に凸部、機械本体側に凹部または膨出部を設けてもよい。また、凹部は四周が閉じた形状としてもよい。
【００５２】
あるいは、図６に示すようにタンク側に設けた凸部４６を、機械本体側（図例では左側メインフレーム１７を示す）に設けた穴４７（周囲が閉じた凹部でもよい）に嵌め込む構成をとってもよい。
【００５３】
（２）上記基本実施形態では凸部３２〜３４と、凹部３６，３７及び膨出部３８をタンク挿入時に自動的に相係合する状態で設けたが、図７に示すようにアッパーフレーム底板１６上に間隔を置いてフロアプレート４８を設け、これらの間にタンク３１を取付ける構成をとる場合に、フロアプレート４８の下面に下向きの凸部４９を設け、タンク３１の上面に設けた凹部５０にこの凸部４９を係合させることにより、タンク３１を上下方向及び水平方向に規制するように構成してもよい。
【００５４】
この構成によると、上記係合部分が抜け止め手段としても機能し得るため、必ずしも別途抜け止め手段を付加する必要がなくなる。
【００５５】
（３）係合部とは別に抜け止め手段を設ける構成をとる場合、部品点数の節減、構造の簡素化及び軽量化の点で上記基本実施形態のようにバッテリ取付用のブラケット４０をタンク抜け止め手段として兼用する構成をとるのが望ましいが、機器配置等によってこの兼用構成をとることができない場合には、専用のタンク抜け止め手段を付加してもよい。
【００５６】
この場合でも、抜け止め手段は、公知技術のブラケットと異なり、文字通りタンクの抜けを止めるだけの簡易、小形のでよく、高強度も必要とされないため、構造の簡素化及び小形・軽量化という所期の目的は達成することができる。
【００５７】
（４）本発明は油圧ショベル（とくに小形ショベル）に適するが、ショベルを母体として構成される溝掘機その他の作業機械にも広く適用することができる。
【００５８】
【発明の効果】
上記のように本発明によると、燃料タンクを機械本体のタンク取付部に対し、機械本体側及びタンク側双方に設けた係合部同士の係合作用によって上下及び水平方向に規制し、かつ、抜け止め手段により抜け止めした状態で取付ける構成としたから、部品点数を節減してコストダウンを実現できるとともに、タンク取付構造を簡素化及び軽量・小形化することができる。
【図面の簡単な説明】
【図１】本発明の基本実施形態を示すアッパーフレーム全体の概略平面図である。
【図２】同実施形態における燃料タンク取付部分のタンク取付前の斜視図である。
【図３】同部分のタンク取付状態の斜視図である。
【図４】同平面図である。
【図５】図４のＶ−Ｖ線拡大断面図である。
【図６】本発明の他の実施形態の１を示す図５相当図である。
【図７】本発明の他の実施形態の２を示す係合部分の断面図である。
【図８】本発明の適用対象としての油圧ショベルの概略側面図である。
【図９】従来の燃料タンクの取付部分を含むアッパーフレーム全体の概略平面図である。
【符号の説明】
２  機械本体を構成する上部旋回体
９  上部旋回体のアッパーフレーム
１６  アッパーフレームの底板
１７  アッパーフレームの左側メインフレーム
２５  タンク取付部
３１  燃料タンク
３２，３３，３４  機械本体側の係合部としての凸部
３６，３７  タンク側係合部としての凹部
３８  同膨出部
３９  バッテリ
４０  バッテリ取付用ブラケット
４１  同ブラケットの側面板（タンク抜け止め手段としてのタンク受け部）
４４  タンク支持部
４５  タンク押え
４６  タンク側係合部としての凸部
４７  機械本体側係合部としての穴
４９  機械本体側係合部としての凸部
５０  タンク側係合部としての凹部
【図１】
2004276846.tif 000003
【図２】
2004276846.tif 000004
【図３】
2004276846.tif 000005
【図４】
2004276846.tif 000006
【図５】
2004276846.tif 000007
【図６】
2004276846.tif 000008
【図７】
2004276846.tif 000009
【図８】
2004276846.tif 000010
【図９】
2004276846.tif 000011